(57)【特許請求の範囲】
【請求項１】
複数の受信装置による協調受信が適用される場合、所定数未満の送信帯域幅の参照信号を、前記所定数以上の送信帯域幅の参照信号に用いられる第１の系列を用いて生成し、前記協調受信が適用されない場合、前記所定数未満の送信帯域幅の参照信号を、前記第１の系列と異なる第２の系列を用いて生成する生成手段と、
前記参照信号を送信する送信手段と、
を具備する送信装置。
【請求項２】
基準系列長をＮｂとし、グループ番号ｕの基準系列番号をｑｂとし、複数の送信帯域幅のそれぞれに応じた系列長Ｎに対して、ｑｂ／Ｎｂとｑ／Ｎとの差の絶対値が最も小さい系列番号ｑの前記第１の系列が、グループ番号ｕのグループにグループ化され、
前記生成手段は、前記協調受信が適用される場合に、グループ化された前記第１の系列のいずれか一つを用いて前記参照信号を生成する、
請求項１記載の送信装置。
【請求項３】
前記所定数未満の送信帯域幅に対する前記基準系列長Ｎｂ及び前記基準系列番号ｑｂは、前記所定数以上の送信帯域幅に対する基準系列長及び基準系列番号と同一である、
請求項２記載の送信装置。
【請求項４】
前記所定数未満の送信帯域幅において、異なる系列番号の前記第１の系列間で、各系列番号が使用されるグループ数の差は１以内である、
請求項２記載の送信装置。
【請求項５】
前記所定数未満の送信帯域幅に対する前記基準系列長Ｎｂ、及び、前記基準系列番号ｑｂは、当該送信帯域幅に隣接する送信帯域幅に応じた系列長、及び、前記隣接する送信帯域幅における前記グループ番号ｕの系列番号である、
請求項２記載の送信装置。
【請求項６】
前記所定数以上の送信帯域幅のそれぞれに応じた、系列長をＮrbとし、グループ番号ｕの系列番号をｑrbとし、前記所定数未満の送信帯域幅にそれぞれ応じた系列長Ｎに対して、前記所定数以上の各送信帯域幅におけるｑrb／Ｎrbの平均値と、ｑ／Ｎとの差の絶対値が最も小さい系列番号ｑの前記第１の系列が、グループ番号uのグループにグループ化され、
前記生成手段は、前記協調受信が適用される場合、グループ化された前記第１の系列のいずれか一つを用いて前記参照信号を生成する、
請求項１記載の送信装置。
【請求項７】
前記生成手段は、前記協調受信が適用され、かつ送信帯域幅が前記所定数未満の場合、当該送信帯域幅に応じた系列長の前記第１の系列の一部を削除することにより、当該送信帯域幅の前記参照信号を生成する、
請求項１記載の送信装置。
【請求項８】
前記生成手段は、前記協調受信が適用される場合、前記協調受信が適用されない場合に用いられる系列グループホッピングパターンと異なる系列グループホッピングパターンを用いて、前記参照信号を生成する、
請求項１記載の送信装置。
【請求項９】
前記第１の系列はZadoff-Chu系列であり、前記第２の系列はComputer generated系列である、
請求項１記載の送信装置。
【請求項１０】
前記参照信号は、データ復調用参照信号（Demodulated Reference Signal）である、
請求項１記載の送信装置。
【請求項１１】
複数の受信装置による協調受信が適用される場合、所定数未満の送信帯域幅の参照信号を、前記所定数以上の送信帯域幅の参照信号に用いられる第１の系列を用いて生成し、前記協調受信が適用されない場合、前記所定数未満の送信帯域幅の参照信号を、前記第１の系列と異なる第２の系列を用いて生成し、
前記参照信号を送信する、
送信方法。
【発明の詳細な説明】
【技術分野】
【０００１】
本発明は、送信装置及び送信方法に関する。
【背景技術】
【０００２】
３ＧＰＰ  ＬＴＥ(3rd Generation Partnership Project Long-term Evolution)において、上り回線で用いられるデータ復調用参照信号（ＤＭ−ＲＳ：Demodulation-Reference Signal）に用いる符号系列として、送信帯域幅１、２ＲＢではＣＧ（Computer generated）系列、送信帯域幅３ＲＢ以上ではＺＣ（Zadoff-Chu）系列が採択されている。【０００３】
また、ＬＴＥの上り回線では、各送信帯域幅（１〜１１０ＲＢ（Resource Block））において多数の系列が３０個の系列グループに分けられ、各系列グループでは、送信帯域幅（具体的には、割当ＲＢ数）と系列とが対応付けられている。各系列グループには異なる番号（系列グループ番号）が割り振られ、図１に示すように、各セルに１つの系列グループが割り当てられる（セル固有の系列グループ割当）。各系列グループは系列間の相互相関が高い系列同士で構成されることで、隣接セルで相互相関の高い系列が用いられる確率が軽減され、隣接セル間の干渉が軽減されている。また、基地局（ｅＮＢと呼ばれることもある）がセル内の端末（ＵＥ（User Equipment）と呼ばれることもある）に系列グループ番号を報知することで、送信帯域幅が変更される場合でも端末はＤＭ−ＲＳ用の符号系列番号を特定できるので、符号系列番号のシグナリングを省略できる。【０００４】
なお、１，２ＲＢの送信帯域幅において、ＺＣ系列とは異なるＣＧ系列が選択された理由としては、送信帯域幅１，２ＲＢ用のＺＣ系列では、３０個（系列グループ数）の系列を確保できないためである。つまり、１，２ＲＢの送信帯域幅では３０個のＺＣ系列が確保できないため、系列のリユースファクタ（ＤＭ−ＲＳとして使用するＺＣ系列番号の繰り返し回数）が低下し、隣接するセルで同一系列番号が割り当てられ、セル間干渉が増加するおそれがある。よって、送信帯域幅１，２ＲＢではＣＧ系列が採択されている。【０００５】
また、ＺＣ系列の系列長は素数であるため、３ＲＢ以上のＤＭ−ＲＳ用の符号系列（ＺＣ系列）では、ＤＭ−ＲＳのサイズより小さいＺＣ系列の先頭部分を末尾にコピー（Extension）した系列が使用されている（例えば、図２参照）。【０００６】
ＺＣ系列は、ＣＡＺＡＣ（Constant Amplitude and Zero Auto-correlation Code）系列の一種であり、次式（１）で表される。また、ＺＣ系列は、（ＺＣ系列長NZCRS−１）個生成される。
【数１】
0005934723.tif 000002
【０００７】
また、各系列グループに割り当てられるＺＣ系列番号ｑは式（２）で算出される。
【数２】
0005934723.tif 000003
【０００８】
なお、式（３）に示すように、系列グループ番号ｕは、セルＩＤ（NIDcell）に関係付けられており、系列グループ間の干渉をランダム化させるために、系列グループホッピングが適用されている。
【数３】
0005934723.tif 000004
【０００９】
式（２）を用いることにより、ＺＣ系列番号ｑとＺＣ系列長NZCRSの比であるｑ／NZCRSの値が近くなる組み合わせが同一系列グループに割り当てられる。系列間のｑ／NZCRSが近くなる系列は、系列間の相互相関が高い系列を意味する。これにより、系列グループ間の相互相関を小さくすることができる（例えば、特許文献１参照）。【００１０】
また、ＣＧ系列は、例えば、次式（４）で表される（例えば、非特許文献１参照）。式（４）に示すφ(n)は、送信帯域幅１ＲＢ用の各系列グループ番号ｕでは図３のように定義され、送信帯域幅２ＲＢ用の各系列グループ番号ｕでは図４のように定義される（例えば、非特許文献１参照）。
【数４】
0005934723.tif 000005
【００１１】
また、ＬＴＥの発展形であるＬＴＥ−Ａｄｖａｎｃｅｄでは、更なるキャパシティ向上のため、カバーエリアの大きさが異なる複数の基地局を用いたヘテロジーニアスネットワーク（Heterogeneous Network：ＨｅｔＮｅｔ）が検討されている。例えば、ＨｅｔＮｅｔの運用では、送信電力が大きいマクロセル（ＨＰＮ（High Power Node）とも呼ばれる）のカバーエリア内に、送信電力が小さいピコセル（ＬＰＮ（Low Power Node）、小電力ＲＲＨ（Remote Radio Head）とも呼ばれる）が配置される。【００１２】
さらに、ＬＴＥ−Ａｄｖａｎｃｅｄでは、ＨｅｔＮｅｔ環境において、主にセルエッジに存在するユーザのスループットを向上させることを目的として、複数のセル（基地局）が協調して端末との間の信号を送受信する通信方式であるＣｏＭＰ（Coordinated multiple point transmission and reception）の適用が検討されている。例えば、ＵＬ（Uplink）  ＣｏＭＰの場合、複数のセル（基地局）が協調して１つの端末からの信号を受信し、合成することで、受信品質を向上させる。また、セル間干渉の影響を低減するために、ＣｏＭＰセット（協調して送受信するセルのグループ）内では、セル間干渉が増加しないように、複数のセル間で協調して端末をスケジューリングする。【００１３】
上記ＵＬ  ＣｏＭＰの性能改善効果をより得るために、ＵＬ  ＣｏＭＰが適用される複数の端末、つまり、送信信号が複数のセルで協調して受信・合成される端末（以下、ＵＬ  ＣｏＭＰ端末と呼ぶこともある）のＭＵ−ＭＩＭＯ（Multiple User-Multiple Input Multiple Output）通信を導入することが検討されている。ＭＩＭＯ通信は、送受信側に複数のアンテナを装備し、同一周波数で異なる信号系列の同時空間多重化伝送を可能とする技術である。ＭＵ−ＭＩＭＯ通信は、複数の端末と基地局との間でＭＩＭＯ通信を行う技術であり、システムの周波数利用効率を向上させることができる。【００１４】
また、ＭＵ−ＭＩＭＯ通信において、異なる端末の信号を分離するためには、端末間で直交したＤＭ−ＲＳを送信する必要がある。ＤＭ−ＲＳの直交化の方法としては、ＯＣＣ（Orthogonal Cover Code）の適用、又は端末間で異なるＣＳ（Cyclic Shift）を施したＺＣ系列（ＣＳ−ＺＣ系列）を用いることが挙げられる。ＯＣＣを適用する場合には最大で２つの端末（ＵＥ）のＤＭ−ＲＳを直交化できる。ＣＳ−ＺＣ系列はＺＣ系列を巡回シフトさせた系列である。ＣＳ−ＺＣ系列では、巡回シフト量として、端末の送信信号の最大伝搬遅延時間より大きい値を設定することで、同じ系列番号のＺＣ系列を巡回シフトさせた複数のＣＳ−ＺＣ系列を直交させることができる。【００１５】
しかし、ＵＬ  ＣｏＭＰでは、複数の異なるセルでＤＭ−ＲＳが受信されるため、上述したセル固有の系列グループ割当では、ＭＵ−ＭＩＭＯ通信を導入する端末間で使用する系列番号が異なってしまい、ＤＭ−ＲＳを直交化させることができない場合がある。そこで、図５に示すように、ＣｏＭＰを適用する端末に対しては、セル固有系列（図５ではGroup#0,#1）ではなく、端末毎に個別に系列を通知するＵＥ固有系列（図５ではGroup#2）を導入し、ＵＬ  ＣｏＭＰ端末間のＤＭ−ＲＳを直交化させることが検討されている。【００１６】
また、ＭＵ−ＭＩＭＯ通信において多重される端末の送信帯域幅が異なる場合、当該端末間で使用されるＣＳ−ＺＣ系列（異なる帯域幅のＣＳ−ＺＣ系列）が直交化しないという課題がある。【００１７】
異なる帯域幅のＣＳ−ＺＣ系列が直交化しないという課題に対して、非特許文献２では、送信帯域幅に応じた巡回シフト（ＣＳ：Cyclic Shift）をＺＣ系列に施すことにより、同一系列グループ（ｑ／NZCRSが近い系列の組み合わせ）内の異なる送信帯域幅のＣＳ−ＺＣ系列を直交化することができることが開示されている。これにより、ＭＵ−ＭＩＭＯ通信において、ＤＭ−ＲＳを直交化できる端末数を増やすことができ、ＭＵ−ＭＩＭＯ通信の多重数を増やすことができる。
【先行技術文献】
【特許文献】
【００１８】
【特許文献１】特許第４６２４４７５号公報
【非特許文献】
【００１９】
【非特許文献１】3GPP TS36.211 V10.2.0, "Physical Channels and Modulation (Release 10)", 5.5 Reference Signals, June 2011
【非特許文献２】3GPP R1-113810, Panasonic, "DMRS enhancement for UL CoMP", 3GPP TSG RAN WG1 Meeting #67, San-Francisco, U.S.A, November 14-18, 2011
【発明の概要】
【発明が解決しようとする課題】
【００２０】
しかしながら、上記従来技術では、ＺＣ系列間の直交化のみを考慮しており、送信帯域幅が１，２ＲＢのＤＭ−ＲＳ用の符号系列であるＣＧ系列と、送信帯域幅が３ＲＢ以上のＤＭ−ＲＳ用の符号系列であるＺＣ系列との直交性が考慮されていない。具体的には、図６Ａに示すように、ＺＣ系列間（図６Ａでは送信帯域幅：３ＲＢと４ＲＢ）ではＣＳによって直交化が可能であるのに対して、図６Ｂに示すように、ＣＧ系列（送信帯域幅：２ＲＢ）とＺＣ系列（送信帯域幅：３ＲＢ）との間では、ＣＳによって直交化できない。このため、１ＲＢ又は２ＲＢを用いた端末と、３ＲＢ以上を用いた端末との間でＵＬ  ＣｏＭＰを適用した場合、直交化していないＤＭ−ＲＳの干渉により、チャネル推定精度が劣化し、ＣｏＭＰ性能が十分に得られず、結果として、ＭＵ−ＭＩＭＯ通信の多重数を増やすことができない問題が生じる。【００２１】
本発明の目的は、異なる送信帯域幅のＤＭ−ＲＳを直交化させることで、ＣｏＭＰ性能を向上させ、ＭＵ−ＭＩＭＯ通信の多重数を増やすことができる送信装置及び送信方法を提供することである。
【課題を解決するための手段】
【００２２】
本発明の一態様に係る送信装置は、複数の受信装置による協調受信が適用される場合、所定数未満の送信帯域幅の参照信号を、前記所定数以上の送信帯域幅の参照信号に用いられる第１の系列を用いて生成し、前記協調受信が適用されない場合、前記所定数未満の送信帯域幅の参照信号を、前記第１の系列と異なる第２の系列を用いて生成する生成手段と、前記参照信号を送信する送信手段と、を具備する構成を採る。【００２３】
本発明の一態様に係る送信方法は、複数の受信装置による協調受信が適用される場合、所定数未満の送信帯域幅の参照信号を、前記所定数以上の送信帯域幅の参照信号に用いられる第１の系列を用いて生成し、前記協調受信が適用されない場合、前記所定数未満の送信帯域幅の参照信号を、前記第１の系列と異なる第２の系列を用いて生成し、前記参照信号を送信する。
【発明の効果】
【００２４】
本発明によれば、異なる送信帯域幅のＤＭ−ＲＳを直交化させることで、ＣｏＭＰ性能を向上させ、ＭＵ−ＭＩＭＯ通信の多重数を増やすことができる。
【図面の簡単な説明】
【００２５】
【図１】系列グループ割当を示す図
【図２】ＺＣ系列のExtension処理を示す図
【図３】各系列グループにおけるＣＧ系列のパラメータを示す図
【図４】各系列グループにおけるＣＧ系列のパラメータを示す図
【図５】ＵＥ固有系列の説明に供する図
【図６】ＺＣ系列間の直交化及びＺＣ系列とＣＧ系列との間の直交化の説明に供する図
【図７】ＣｏＭＰ適用の有無によるリユースファクタの違いの説明に供する図
【図８】本発明の実施の形態１に係る端末の主要構成を示すブロック図
【図９】本発明の実施の形態１に係る端末の構成を示すブロック図
【図１０】本発明の実施の形態１に係る端末におけるＤＭ−ＲＳ系列の生成処理を示すフロー図
【図１１】本発明の実施の形態１に係る基地局の構成を示すブロック図
【図１２】本発明の実施の形態１に係るＺＣ系列番号テーブルの生成処理を示すフロー図（生成例１）
【図１３】本発明の実施の形態１に係るＺＣ系列番号テーブルの一例を示す図（生成例１）
【図１４】本発明の実施の形態１に係るＺＣ系列番号テーブルの生成処理を示すフロー図（生成例２）
【図１５】本発明の実施の形態１に係るＺＣ系列番号テーブルの一例を示す図（生成例２）
【図１６】本発明の実施の形態１に係るＺＣ系列番号テーブルの一例を示す図（生成例３）
【図１７】本発明の実施の形態１に係るＺＣ系列番号テーブルの生成処理を示すフロー図（生成例４）
【図１８】本発明の実施の形態１に係るＺＣ系列番号テーブルの一例を示す図（生成例４）
【図１９】ＺＣ系列のExtension処理及びTruncation処理を示す図
【図２０】本発明の実施の形態２に係るＺＣ系列番号テーブルの一例を示す図（生成例１）
【図２１】本発明の実施の形態２に係るＺＣ系列番号テーブルの一例を示す図（生成例３）
【図２２】本発明の実施の形態２に係るＺＣ系列番号テーブルの一例を示す図（生成例４）
【図２３】本発明の実施の形態３に係る端末の構成を示すブロック図
【図２４】本発明の実施の形態３に係る基地局の構成を示すブロック図
【図２５】本発明の実施の形態３に係る端末におけるＤＭ−ＲＳ系列の生成処理を示すフロー図
【発明を実施するための形態】
【００２６】
以下、本発明の各実施の形態について、図面を参照して詳細に説明する。
【００２７】
まず、本発明の各実施の形態の具体的な構成及び動作を説明する前に、１ＲＢ又は２ＲＢの送信帯域幅を用いた端末と、３ＲＢ以上の送信帯域幅を用いた端末との間でＵＬ  ＣｏＭＰを適用した場合でもＤＭ−ＲＳを直交化させるためのＤＭ−ＲＳ系列の生成方法として、本発明者らが着目した方法について説明する。
【００２８】
図７Ａに示すように、ＣｏＭＰが適用されない場合、上述したように、セル（基地局）毎に異なる系列グループが適用される（セル固有系列割当）。これに対して、図７Ｂに示すように、ＣｏＭＰが適用される場合、ＵＬ  ＣｏＭＰ端末からの信号を協調して受信するセル（基地局。図７Ａでは３個のセル）間で同一の系列グループが適用される（ＵＥ固有系列割当）。
【００２９】
この場合、図７Ａ及び図７Ｂに示すように、同一エリアに対して、図７Ａでは系列グループ番号１〜１９が繰り返し使用され、図７Ｂでは系列グループ番号１〜７が繰り返し使用される。つまり、図７Ｂ（ＣｏＭＰ適用有り）では、図７Ａ（ＣｏＭＰ適用無し）と比較して、リユースファクタが減少している。しかし、図７Ｂでは、信号をＣｏＭＰにより協調して受信するセル間で同一系列グループが適用されるため、図７Ａと比較しても、同一系列グループが適用されるセル間の距離はそれほど短くはならない。
【００３０】
また、ＣｏＭＰは主にＨｅｔＮｅｔ環境で適用され、端末と基地局との間の距離が従来と比較して短くなるため、端末の送信電力が小さくなる。よって、リユースファクタが減少することで近くのセル間で同一系列番号が適用されたとしても、同一系列番号が適用されるセル間の干渉はそれほど問題にはならない。
【００３１】
このように、本発明者らは、ＵＬ  ＣｏＭＰ端末（ＵＥ固有系列が割り当てられる端末）では、ＤＭ−ＲＳに使用するＺＣ系列番号のリユースファクタが減少しても問題にはならないことに着目している。
【００３２】
そこで、以下の説明では、ＵＬ  ＣｏＭＰ端末は、１，２ＲＢの送信帯域幅でＤＭ−ＲＳを送信する場合、ＣＧ系列ではなく、ＺＣ系列をＤＭ−ＲＳとして使用する。これにより、送信帯域幅に応じた巡回シフトをＺＣ系列に施すことで（例えば、非特許文献２参照）、異なる送信帯域幅（１，２ＲＢも含む）のＤＭ−ＲＳの直交化が可能となる。つまり、上述したように、１，２ＲＢの送信帯域幅でＺＣ系列を用いる場合でも、リユースファクタの低下によるセル間干渉の増加を抑えつつ、ＭＵ−ＭＩＭＯ通信で多重数を増やすことが可能となる。
【００３３】
（実施の形態１）
［通信システムの概要］
本発明の実施の形態１に係る通信システムは、送信装置と受信装置とを有する。特に、本実施の形態では、送信装置を端末１００とし、受信装置を基地局２００として説明する。この通信システムは、例えば、ＬＴＥ−Ａｄｖａｎｃｅｄシステムである。そして、端末１００は、例えば、ＬＴＥ−Ａｄｖａｎｃｅｄシステムに対応する端末であり、基地局２００は、例えば、ＬＴＥ−Ａｄｖａｎｃｅｄシステムに対応する基地局である。また、例えば、端末１００がＵＬ  ＣｏＭＰ端末として動作する場合、端末１００から送信された信号は、複数の基地局２００によって協調して受信される。
【００３４】
図８は、本発明の実施の形態１に係る端末１００の主要構成図である。端末１００において、系列生成部１０３は、複数の基地局２００（受信装置）による協調受信が適用される場合、所定数（ここでは３ＲＢ）未満の送信帯域幅のＤＭ−ＲＳ（参照信号）を、所定数以上の送信帯域幅のＤＭ−ＲＳに用いられるＺＣ系列（第１の系列）を用いて生成し、協調受信が適用されない場合、所定数未満の送信帯域幅のＤＭ−ＲＳを、ＺＣ系列と異なるＣＧ系列（第２の系列）を用いて生成する。送信部１１２は、ＤＭ−ＲＳを送信する。
【００３５】
［端末１００の構成］
図９は、本実施の形態に係る端末１００の構成を示すブロック図である。また、図１０は、端末１００におけるＤＭ−ＲＳの符号系列（ＤＭ−ＲＳ系列）の生成処理を示すフロー図である。
【００３６】
端末１００において、送信帯域幅設定部１０１は、ＤＭ−ＲＳの送信帯域幅を設定し（図１０に示すステップ（以下、「ＳＴ」で表す）１）、設定した送信帯域幅を、系列生成部１０３の系列切替部１０４及び系列情報算出部１０６に出力する。
【００３７】
ＣｏＭＰモード設定部１０２は、ＣｏＭＰモードの適用の有無、又は、ＵＥ固有系列の適用の有無を設定し（図１０に示すＳＴ２）、上記適用の有無を示す情報を、系列生成部１０３の系列切替部１０４及び系列情報算出部１０６に出力する。
【００３８】
系列生成部１０３は、送信帯域幅設定部１０１によって設定されたＤＭ−ＲＳの送信帯域幅、及び、ＣｏＭＰモード設定部１０２によって設定されたＣｏＭＰモード（ＵＥ固有系列）の適用の有無に応じて、ＤＭ−ＲＳ系列を生成する。系列生成部１０３は、系列切替部１０４と、ＺＣ系列番号テーブル１０５と、系列情報算出部１０６と、ＺＣ系列生成部１０７と、ＣＧ系列生成部１０８と、から主に構成される。
【００３９】
具体的には、系列切替部１０４は、ＤＭ−ＲＳの送信帯域幅及びＣｏＭＰモードの適用の有無に基づいて、ＤＭ−ＲＳ系列として用いる系列を、ＺＣ系列とＣＧ系列との間で切り替える（図１０に示すＳＴ３）。例えば、系列切替部１０４は、送信帯域幅が３ＲＢ以上の場合、ＣｏＭＰモードの適用の有無に依らずＺＣ系列を選択する。また、系列切替部１０４は、送信帯域幅が１，２ＲＢであり、かつ、ＣｏＭＰの適用有りの場合にはＺＣ系列を選択する。一方、系列切替部１０４は、送信帯域幅が１，２ＲＢであり、かつ、ＣｏＭＰの適用無しの場合にはＣＧ系列を選択する。つまり、系列切替部１０４は、送信帯域幅が１，２ＲＢの場合、ＣｏＭＰモードが適用される場合には、３ＲＢ以上の送信帯域幅のＤＭ−ＲＳに用いられるＺＣ系列を選択し、ＣｏＭＰモードが適用されない場合には、３ＲＢ以上の送信帯域幅のＤＭ−ＲＳに用いられるＺＣ系列とは異なるＣＧ系列を選択する。系列切替部１０４は、選択した系列がＣＧ系列であるかＺＣ系列であるかを示すＣＧ・ＺＣ系列生成情報を系列情報算出部１０６に出力する。
【００４０】
ＺＣ系列番号テーブル１０５は、送信帯域幅１，２ＲＢと、各系列グループにおいてＤＭ−ＲＳに使用可能なＺＣ系列番号（送信帯域幅１，２ＲＢ用）との対応付けを含むテーブルである。当該テーブルは、端末１００と基地局２００との間で共有される。ＺＣ系列番号テーブル１０５の一例及び生成方法の詳細については後述する。
【００４１】
系列情報算出部１０６は、ＣｏＭＰモードの適用が無い場合にはセルＩＤ、ＣｏＭＰモードの適用が有る場合にはＵＥ固有系列情報、を用いて系列グループ番号を導出する（図１０に示すＳＴ４）。次いで、系列情報算出部１０６は、導出した系列グループ番号、送信帯域幅、及び、ＣＧ・ＺＣ系列生成情報を用いて、系列番号を算出する（図１０に示すＳＴ５）。この際、系列情報算出部１０６は、ＣｏＭＰモードの適用が有り、１，２ＲＢ用のＺＣ系列を生成する際、ＺＣ系列番号テーブル１０５を参照して、系列番号を算出する。系列情報算出部１０６は、算出した系列番号、及び、系列の種別（ＣＧ系列又はＺＣ系列）を含む系列情報をＺＣ系列生成部１０７及びＣＧ系列生成部１０８に出力する。
【００４２】
ＺＣ系列生成部１０７は、系列情報にＺＣ系列を生成することが示される場合、系列情報に示される系列番号を用いてＺＣ系列を生成し（図１０に示すＳＴ６）、ＺＣ系列をＤＭ−ＲＳ系列としてマッピング部１０９に出力する。
【００４３】
ＣＧ系列生成部１０８は、系列情報にＣＧ系列を生成することが示される場合、ＣＧ系列を生成し（図１０に示すＳＴ６）、ＣＧ系列をＤＭ−ＲＳ系列としてマッピング部１０９に出力する。
【００４４】
マッピング部１０９は、ＺＣ系列生成部１０７又はＣＧ系列生成部１０８から入力されるＤＭ−ＲＳ系列（ＺＣ系列又はＣＧ系列）を端末１００の送信帯域に対応した帯域にマッピングする。マッピング部１０９は、マッピングしたＤＭ−ＲＳ系列をＩＦＦＴ（Inverse Fast Fourier Transform）部１１０に出力する。
【００４５】
ＩＦＦＴ部１１０は、マッピング部１０９から入力されるＤＭ−ＲＳ系列にＩＦＦＴ処理を施し、ＩＦＦＴ処理を施したＤＭ−ＲＳ系列をＣＰ（Cyclic Prefix）付加部１１１に出力する。
【００４６】
ＣＰ付加部１１１は、ＩＦＦＴ後の信号の後尾部分と同じ信号をＣＰとして先頭に付加し、送信部１１２へ出力する。
【００４７】
送信部１１２は、ＣＰ付加後の信号に対してＤ／Ａ変換、アップコンバート、増幅等の送信処理を施し、送信処理を施した信号をＤＭ−ＲＳとしてアンテナ１１３を介して送信する。また、端末１００は、ＤＭ−ＲＳ（参照信号）とともに、データ信号をアンテナ１１３を介して送信する（図示せず）。
【００４８】
［基地局２００の構成］
図１１は、本実施の形態に係る基地局２００の構成を示すブロック図である。
【００４９】
基地局２００において、送信帯域幅設定部２０１は、送信帯域幅設定部１０１と同様にして、端末１００で使用されるＤＭ−ＲＳの送信帯域幅を設定し、設定した送信帯域幅を、系列生成部２０３の系列切替部２０４及び系列情報算出部２０６に出力する。
【００５０】
ＣｏＭＰモード設定部２０２は、ＣｏＭＰモード設定部１０２と同様にして、端末１００に対するＣｏＭＰモードの適用の有無（ＵＥ固有系列の適用の有無）を設定し、上記適用の有無を示す情報を、系列生成部２０３の系列切替部２０４及び系列情報算出部２０６に出力する。
【００５１】
系列生成部２０３は、系列生成部１０３と同様にして、送信帯域幅設定部２０１によって設定されたＤＭ−ＲＳの送信帯域幅、及び、ＣｏＭＰモード設定部２０２によって設定されたＣｏＭＰモード（ＵＥ固有系列）の適用の有無に応じて、端末１００で使用されるＤＭ−ＲＳ系列を生成する。系列生成部２０３は、系列切替部２０４と、ＺＣ系列番号テーブル２０５と、系列情報算出部２０６と、ＺＣ系列生成部２０７と、ＣＧ系列生成部２０８と、から主に構成される。
【００５２】
具体的には、系列切替部２０４は、系列切替部１０４と同様、ＤＭ−ＲＳの送信帯域幅及びＣｏＭＰモードの適用の有無に基づいて、端末１００においてＤＭ−ＲＳ系列として用いる系列を、ＺＣ系列とＣＧ系列との間で切り替える。つまり、系列切替部２０４は、系列切替部１０４と同様、送信帯域幅が１，２ＲＢの場合、ＣｏＭＰモードが適用される場合には、３ＲＢ以上の送信帯域幅のＤＭ−ＲＳに用いられるＺＣ系列を選択し、ＣｏＭＰモードが適用されない場合には、３ＲＢ以上の送信帯域幅のＤＭ−ＲＳに用いられるＺＣ系列とは異なるＣＧ系列を選択する。系列切替部２０４は、選択した系列がＣＧ系列であるかＺＣ系列であるかを示すＣＧ・ＺＣ系列生成情報を系列情報算出部２０６に出力する。
【００５３】
ＺＣ系列番号テーブル２０５は、ＺＣ系列番号テーブル１０５と同様、送信帯域幅１，２ＲＢと、ＤＭ−ＲＳに使用可能なＺＣ系列番号とを対応付けたテーブルである。当該テーブルは、基地局２００と端末１００との間で共有される。ＺＣ系列番号テーブル１０５の一例及び生成方法の詳細については後述する。
【００５４】
系列情報算出部２０６は、系列情報算出部１０６と同様にして、ＣｏＭＰモードの適用が無い場合にはセルＩＤ、ＣｏＭＰモードの適用が有る場合にはＵＥ固有系列情報、を用いて系列グループ番号を導出する。次いで、系列情報算出部２０６は、導出した系列グループ番号、送信帯域幅、及び、ＣＧ・ＺＣ系列生成情報を用いて、系列番号を算出する。この際、系列情報算出部２０６は、ＣｏＭＰモードの適用が有り、１，２ＲＢ用のＺＣ系列を生成する際、ＺＣ系列番号テーブル２０５を参照して、系列番号を算出する。系列情報算出部２０６は、算出した系列番号、及び、系列の種別（ＣＧ系列又はＺＣ系列）を含む系列情報をＺＣ系列生成部２０７及びＣＧ系列生成部２０８に出力する。
【００５５】
ＺＣ系列生成部２０７は、ＺＣ系列生成部１０７と同様、系列情報にＺＣ系列を生成することが示される場合、系列情報に示される系列番号を用いてＺＣ系列を生成し、ＺＣ系列をＤＭ−ＲＳ系列として除算部２１５に出力する。
【００５６】
ＣＧ系列生成部２０８は、ＣＧ系列生成部１０８と同様、系列情報にＣＧ系列を生成することが示される場合、ＣＧ系列を生成し、ＣＧ系列をＤＭ−ＲＳ系列として除算部２１５に出力する。
【００５７】
受信部２１０は、アンテナ２０９を介して受信した信号にダウンコンバート、Ａ／Ｄ変換等の受信処理を施し、受信処理を施した信号をＣＰ除去部２１１に出力する。なお、受信した信号には、データ信号及びＤＭ−ＲＳが含まれる。
【００５８】
ＣＰ除去部２１１は、受信処理が施された信号からＣＰを除去し、ＣＰ除去後の信号を分離部２１２に出力する。
【００５９】
分離部２１２は、ＣＰ除去部２１１から入力される信号をＤＭ−ＲＳとデータ信号とに分離する。分離部２１２は、ＤＭ−ＲＳをＦＦＴ（Fast Fourier transform）部２１３に出力し、データ信号をＦＦＴ部２１９に出力する。
【００６０】
ＦＦＴ部２１３は、分離部２１２から入力されるＤＭ−ＲＳに対してＦＦＴ処理を施し、時間領域から周波数領域の信号に変換する。ＦＦＴ部２１３は、周波数領域に変換したＤＭ−ＲＳをデマッピング部２１４に出力する。
【００６１】
デマッピング部２１４は、ＦＦＴ部２１３から入力される周波数領域のＤＭ−ＲＳから各端末１００の送信帯域に対応した部分を抽出し、抽出したＤＭ−ＲＳを除算部２１５に出力する。
【００６２】
除算部２１５は、デマッピング部２１４から入力されるＤＭ−ＲＳを、ＺＣ系列生成部２０７又はＣＧ系列生成部２０８から入力されるＤＭ−ＲＳ系列（ＺＣ系列又はＣＧ系列）で除算し、除算結果（相関値）をＩＦＦＴ部２１６に出力する。
【００６３】
ＩＦＦＴ部２１６は、除算部２１５から入力される除算結果に対してＩＦＦＴ処理を施し、ＩＦＦＴ処理を施した信号をマスク処理部２１７に出力する。
【００６４】
マスク処理部２１７は、ＩＦＦＴ部２１６から入力される信号にマスク処理を施すことにより、所望の巡回シフト系列の相関値が存在する区間（ウィンドウ部分）の相関値を抽出し、抽出した相関値をＤＦＴ部２１８に出力する。
【００６５】
ＤＦＴ部２１８は、マスク処理部２１７から入力される相関値に対してＤＦＴ処理を施し、ＤＦＴ処理を施した相関値を周波数領域等化部２２１に出力する。なお、ＤＦＴ部２１８においてＤＦＴ処理が施された信号は、伝搬路の周波数変動（伝搬路の周波数応答）を表す信号である。
【００６６】
一方、ＦＦＴ部２１９は、分離部２１２から入力されるデータ信号に対してＦＦＴ処理を施し、時間領域から周波数領域の信号に変換する。ＦＦＴ部２１９は、周波数領域に変換したデータ信号をデマッピング部２２０に出力する。
【００６７】
デマッピング部２２０は、ＦＦＴ部２１９から入力される信号から各端末の送信帯域に対応した部分のデータ信号を抽出し、抽出した各信号を周波数領域等化部２２１に出力する。
【００６８】
周波数領域等化部２２１は、ＤＦＴ部２１８から入力される信号（伝搬路の周波数応答）を用いて、デマッピング部２２０から入力されるデータ信号に等化処理を施し、等化処理を施した信号をＩＦＦＴ部２２２に出力する。
【００６９】
ＩＦＦＴ部２２２は、周波数領域等化部２２１から入力されるデータ信号に対してＩＦＦＴ処理を施し、ＩＦＦＴ処理を施した信号を復調部２２３に出力する。
【００７０】
復調部２２３は、ＩＦＦＴ部２２２から入力される信号に復調処理を施し、復調処理を施した信号を復号部２２４に出力する。
【００７１】
復号部２２４は、復調部２２３から入力される信号に復号処理を施し、受信データを抽出する。
【００７２】
［端末１００及び基地局２００の動作］
以上の構成を有する端末１００及び基地局２００の動作について説明する。
【００７３】
端末１００は、自機がＵＬ  ＣｏＭＰ端末（ＣｏＭＰモードが適用される端末）の場合、送信帯域幅が１，２ＲＢのＤＭ−ＲＳ系列としてＺＣ系列を用いて、ＤＭ−ＲＳを生成する。一方、端末１００は、自機がＵＬ  ＣｏＭＰ端末ではない場合、送信帯域幅が１，２ＲＢのＤＭ−ＲＳ系列として、従来と同様にしてＣＧ系列を用いて、ＤＭ−ＲＳを生成する。
【００７４】
なお、上述したように、各送信帯域幅（１〜１１０ＲＢ）において多数の系列が３０個の系列グループに分けられ、各系列グループでは、送信帯域幅と系列とが対応付けられている。具体的には、ＺＣ系列については、複数の送信帯域幅のそれぞれに応じた系列長Ｎに対して、ｑｂ／Ｎｂとｑ/Ｎとの差の絶対値が最も小さい系列番号ｑのＺＣ系列が、グループ番号ｕのグループにグループ化される。ここで、Ｎｂは基準系列長であり、ｑｂはグループ番号ｕの基準系列番号である。つまり、端末１００は、ＣｏＭＰモードが適用される場合に、グループ化されたＺＣ系列のいずれか一つを用いてＤＭ−ＲＳを生成する。
【００７５】
また、基地局２００は、端末１００と同様にして、信号抽出対象の端末１００に使用されるＤＭ−ＲＳの送信帯域幅が１，２ＲＢである場合、当該端末１００がＵＬ  ＣｏＭＰ端末の場合、ＤＭ−ＲＳ系列として用いられる符号系列がＺＣ系列であると判断し、当該端末１００がＵＬ  ＣｏＭＰ端末でない場合、ＤＭ−ＲＳ系列として用いられる符号系列がＣＧ系列であると判断する。
【００７６】
これにより、ＣｏＭＰセット内では、複数の端末１００（ＵＥ固有系列が同一の端末）間で、送信帯域幅が１，２ＲＢのＤＭ−ＲＳと、送信帯域幅が３ＲＢ以上のＤＭ−ＲＳとを含む場合でも、ＤＭ−ＲＳをＣＳによって直交化することができる。
【００７７】
次に、端末１００（図９）及び基地局２００（図１１）で用いられるＺＣ系列番号テーブル１０５（ＺＣ系列番号テーブル２０５）の生成例１〜４について説明する。
【００７８】
以下の説明では、系列グループ数を３０個（系列グループ番号０〜２９）とする。また、１ＲＢは１２サブキャリアで構成される。また、ＺＣ系列の系列長は、各送信帯域幅（ＲＢ数）に相当するサブキャリア数以内の最大の素数とする。例えば、１ＲＢ（１２サブキャリア）の場合の系列長を１１とし、２ＲＢ（２４サブキャリア）の場合の系列長を２３とし、３ＲＢ（３６サブキャリア）の場合の系列長を３１とする。
【００７９】
＜生成例１＞
生成例１では、送信帯域幅３ＲＢに割り当てられているグループ番号ｕにおけるＺＣ系列の系列番号ｑｂと送信帯域幅３ＲＢに応じた系列長Ｎｂとの比であるｑｂ／Ｎｂの値と、１，２ＲＢ用のＺＣ系列の系列番号ｑと系列長Ｎとの比であるｑ／Ｎの値と、が最も近くなる系列番号ｑが、グループ番号ｕにおける、ＵＬ  ＣｏＭＰ端末（ＵＥ固有系列が割り当てられる端末）の１，２ＲＢ用のＺＣ系列番号として割り当てられる。つまり、ｑｂ／Ｎｂとｑ／Ｎとの差の絶対値が最も小さい系列番号ｑのＺＣ系列が、グループ番号ｕの系列グループに含まれる。
【００８０】
図１２は、送信帯域幅１，２ＲＢ（つまり、３ＲＢ未満）に対応するＺＣ系列番号テーブル（図９に示す１０５、図１１に示す２０５）の生成処理の一例を示すフロー図である。ＺＣ系列番号テーブルは、例えば、テーブル生成部（又はテーブル生成プログラム。図示せず）によって予め生成される。つまり、端末１００及び基地局２００は、例えば図１２に示す処理によって生成されたＺＣ系列番号テーブル（１０５、２０５）を予め保持する。例えば、テーブル生成部によって生成されたＺＣ系列番号テーブルが、基地局２００から端末１００へ通知されてもよく、或いは、端末１００及び基地局２００において、テーブル生成部によってＺＣ系列テーブルがそれぞれ生成されてもよい。また、テーブル生成部は、端末１００又は基地局２００以外の他の装置に備えられてもよい。
【００８１】
ＳＴ１０１では、テーブル生成部は、例えば非特許文献１に開示されたＤＭ−ＲＳ生成方法を用いて、系列グループ、送信帯域毎のＺＣ系列番号等の系列グループ情報（既存の系列グループ情報。例えば、３ＲＢ以上のＺＣ系列グループ）を生成（入力）する。
【００８２】
ＳＴ１０２では、テーブル生成部は、３０個の系列グループ毎のＺＣ系列番号を求めるために、系列グループ番号ｕの初期値として０を設定する。
【００８３】
ＳＴ１０３では、テーブル生成部は、系列グループ番号ｕにおいて、１，２ＲＢ用のＺＣ系列番号の導出の基準系列長及び基準系列番号として、送信帯域幅３ＲＢの系列長Ｎｂ及び系列番号ｑｂをそれぞれ設定する。
【００８４】
ＳＴ１０４では、テーブル生成部は、系列番号ｑ（１〜系列長Ｎ−１）の初期値として１を設定し、系列グループ番号ｕにおける送信帯域幅１，２ＲＢの最終的に求めるＺＣ系列番号ｑ’の初期値として１を設定し、系列番号ｑと系列長Ｎとの比であるｑ／Ｎと送信帯域幅３ＲＢにおけるｑｂ／Ｎｂとの差の最小値を保存するための変数ｍｉｎの初期値として１．０を設定する。
【００８５】
ＳＴ１０５では、テーブル生成部は、ｑ／Ｎとｑｂ／Ｎｂとの差の絶対値を測定し、変数ｍｉｎが測定された絶対値よりも大きいか否かを判定する。変数ｍｉｎが上記絶対値よりも大きい場合（ＳＴ１０５：ＹＥＳ）、ＳＴ１０６の処理に進み、変数ｍｉｎが上記絶対値以下の場合（ＳＴ１０５：ＮＯ）、ＳＴ１０７の処理に進む。
【００８６】
ＳＴ１０６では、テーブル生成部は、ｑ’をｑに設定し、ｍｉｎを現在のｑの値におけるｑ／Ｎとｑｂ／Ｎｂとの差の絶対値に設定する。
【００８７】
ＳＴ１０７では、テーブル生成部は、ｑがＮ未満であるか否か（つまり、全ての系列番号の判定が完了したか否か）を判定する。ｑがＮ未満の場合（ＳＴ１０７：ＹＥＳ）、ＳＴ１０８の処理に進み、ｑがＮ以上の場合（ＳＴ１０７：ＮＯ）、ＳＴ１０９の処理に進む。
【００８８】
ＳＴ１０８では、テーブル生成部は、ｑをインクリメント（１カウントアップ）し、ＳＴ１０５の処理に再び進む。
【００８９】
このようにして、ＳＴ１０５〜ＳＴ１０８のループがｑの値を変えながら行われることで、ｑ／Ｎとｑｂ／Ｎｂとの差の最小値ｍｉｎに対応する系列番号ｑ’が求まる。
【００９０】
ＳＴ１０９では、テーブル生成部は、系列グループ番号ｕにおいて、全てのｑ（１〜系列長Ｎ−１）に対して、ｑ／Ｎとｑｂ／Ｎｂとの差が計算された後、最終的に変数ｑ’に保存されている値を系列グループ番号ｕの系列番号に割り当てる。
【００９１】
ＳＴ１１０では、テーブル生成部は、系列グループ番号ｕ（０〜２９）が系列グループ数（３０個）未満であるか否かを判定する。ｕが系列グループ数未満の場合（ＳＴ１１０：ＹＥＳ）、ＳＴ１１１に進み、ｕが系列グループ数以上の場合（ＳＴ１１０：ＮＯ）、全ての系列グループに対してＺＣ系列番号の算出が完了したので、ＺＣ系列番号テーブル１０５（ＺＣ系列番号テーブル２０５）の生成処理を終了する。
【００９２】
ＳＴ１１１では、テーブル生成部は、ｕをインクリメント（１カウントアップ）し、ＳＴ１０３の処理に再びに進む。
【００９３】
図１２に示すＳＴ１０１〜ＳＴ１１１の処理が１、２ＲＢの送信帯域幅のそれぞれに対して行われることにより、ＺＣ系列番号テーブル（１０５、２０５）が生成される。
【００９４】
図１３は、以上の処理によって生成されるＺＣ系列番号テーブル１０５（ＺＣ系列番号テーブル２０５）の一例を示す。図１３に示す送信帯域幅３ＲＢでは、系列グループ番号ｕ＝０〜２９において、系列番号ｑｂはそれぞれ１〜３０となり、系列長Ｎｂは３１となる。よって、図１３に示す送信帯域幅１ＲＢ（系列長Ｎ＝１１）及び２ＲＢ（系列長Ｎ＝２３）では、系列グループ番号ｕ＝０〜２９において、ｑ／Ｎとｑｂ／Ｎｂとの差の絶対値が最小となる系列番号ｑが割り当てられている。
【００９５】
また、図１３に示すＺＣ系列番号テーブル１０５（ＺＣ系列番号テーブル２０５）における送信帯域幅１，２，３ＲＢの系列番号の関係を次式（５）に示す。
【数５】
0005934723.tif 000006
【００９６】
式（５）において、ｑXRBは送信帯域幅Ｘ［ＲＢ］の系列番号を示し、NZC_XRBRSは送信帯域幅Ｘ［ＲＢ］のＺＣ系列長を示し、ｕは系列グループ番号を示し、ｖは系列グループホッピングのフラグ（０又は１）を示す。
【００９７】
ここで、３ＲＢ以上の送信帯域幅における各系列グループのＺＣ系列番号は、３ＲＢにおけるｑｂ（図１３では１〜３０）及びＮｂ（３１ＲＢ）を基準として算出される（ＳＴ１０１）。つまり、図１３において、１，２ＲＢ（３ＲＢ未満）の送信帯域幅に対する基準系列長Ｎｂ及び基準系列番号ｑｂは、３ＲＢ以上の送信帯域幅に対する基準系列長及び基準系列番号と同一である。
【００９８】
このように、端末１００は、ＣｏＭＰが適用される場合には、送信帯域幅に依らずＤＭ−ＲＳ系列としてＺＣ系列を用いることで、ＣｏＭＰセット内では、送信帯域幅が１ＲＢ（又は２ＲＢ）のＤＭ−ＲＳと、送信帯域幅が３ＲＢ以上のＤＭ−ＲＳとを直交化させることができる。
【００９９】
なお、上述したように、ＺＣ系列は、最大で（系列長Ｎ−１）個生成されるので、送信帯域幅１ＲＢ（Ｎ＝１１）では１０個のＺＣ系列が生成され、送信帯域幅２ＲＢ（Ｎ＝２３）では２２個のＺＣ系列が生成される。このため、送信帯域幅１，２ＲＢでは、３０個の系列グループのそれぞれに互いに異なるＺＣ系列を割り当てることができないので、図１３に示すように、同一系列番号が複数の系列グループに繰り返し割り当てられている。しかし、上述したように、ＣｏＭＰでは、リユースファクタが低下することは問題とならないので（図７Ａ及び図７Ｂ参照）、同一系列番号が割り当てられた系列グループを用いるセル間での干渉による影響は少ない。
【０１００】
このようにして、生成例１によれば、ＣｏＭＰセット内の端末１００（ＵＥ固有系列が同一である端末１００）同士では、ＤＭ−ＲＳの送信帯域幅に依らず、ＤＭ−ＲＳ（ＺＣ系列）を直交化できるので、チャネル推定制度を向上させ、ＭＵ−ＭＩＭＯ通信における多重数を増やすことができる。
【０１０１】
＜生成例２＞
生成例２では、ＵＬ  ＣｏＭＰ端末（ＵＥ固有系列が割り当てられる端末）の１，２ＲＢ用のＺＣ系列番号として各系列グループに割り当てられるＺＣ系列番号の使用回数の差を最大で１とする。
【０１０２】
図１４は、送信帯域幅１，２ＲＢ（３ＲＢ未満）に対応するＺＣ系列番号テーブル１０５（ＺＣ系列番号テーブル２０５）の生成処理の一例を示すフロー図である。端末１００（基地局２００）は、例えば図１４に示す処理によって生成されたＺＣ系列番号テーブル１０５（ＺＣ系列番号テーブル２０５）を予め保持する。
【０１０３】
なお、図１４において、生成例１（図１２）の処理と同一の処理には同一符号を付し、その説明を省略する。
【０１０４】
図１４において、ＳＴ２０１では、テーブル生成部は、ＳＴ１０２と同様に系列グループ番号ｕの初期値として０を設定するのに加え、除外系列番号を空集合に設定する。
【０１０５】
ＳＴ２０２では、テーブル生成部は、ＳＴ１０５と同様にｑ／Ｎとｑｂ／Ｎｂとの差の絶対値を測定し、変数ｍｉｎが測定された絶対値よりも大きいか否かを判定するのに加え、除外系列番号にｑが含まれていないかを判定する。変数ｍｉｎが上記絶対値よりも大きく、かつ、除外系列番号にｑが含まれない場合（ＳＴ２０２：ＹＥＳ）、ＳＴ１０６の処理に進む。一方、変数ｍｉｎが上記絶対値以下、又は、除外系列番号にｑが含まれる場合（ＳＴ２０２：ＮＯ）、ＳＴ１０７の処理に進む。
【０１０６】
ＳＴ２０３では、テーブル生成部は、ＳＴ２０２及びＳＴ１０６〜ＳＴ１０８の処理によって得られるＺＣ系列番号ｑ’の使用回数をカウントする。
【０１０７】
ＳＴ２０４では、テーブル生成部は、一つ前の系列グループ番号（つまり、ｕ−１）に設定された系列番号ｑ’＿ｐｒｅと現在のグループ番号ｕの系列番号ｑ’とが等しくないか否かを判定する。ｑ’＿ｐｒｅとｑ’とが等しくない場合（ＳＴ２０４：ＹＥＳ）、ＳＴ２０８の処理に進み、ｑ’＿ｐｒｅとｑ’とが等しい場合（ＳＴ２０４：ＮＯ）、ＳＴ２０５の処理に進む。
【０１０８】
ＳＴ２０５では、テーブル生成部は、系列番号ｑ’の使用回数が、系列グループ数を（ＺＣ系列長Ｎ−１）で除算した値を除算後の値よりも大きく最も近い整数に丸めた値以上であるか否かを判定する。系列番号ｑ’の使用回数が上記値以上の場合（ＳＴ２０５：ＹＥＳ）、ＳＴ２０６の処理に進み、系列番号ｑ’の使用回数が上記値未満の場合（ＳＴ２０５：ＮＯ）、ＳＴ２０７の処理に進む。
【０１０９】
ＳＴ２０６では、テーブル生成部は、ＺＣ系列番号ｑ’を除外系列番号リストに追加する。
【０１１０】
ＳＴ２０７では、テーブル生成部は、ＳＴ１０９と同様に系列グループ番号ｕにおいて、最終的に変数ｑ’に保存されている値を系列グループ番号ｕの系列番号に割り当てるのに加え、ｑ’＿ｐｒｅにｑ’を設定する。
【０１１１】
一方、ＳＴ２０８では、テーブル生成部は、系列番号ｑ’＿ｐｒｅの使用回数が、系列グループ数を（ＺＣ系列長Ｎ−１）で除算した値を除算後の値よりも小さく最も近い整数に丸めた値未満であるか否かを判定する。系列番号ｑ’＿ｐｒｅの使用回数が上記値未満の場合（ＳＴ２０８：ＹＥＳ）、ＳＴ２０９の処理に進み、系列番号ｑ’＿ｐｒｅの使用回数が上記値以上の場合（ＳＴ２０８：ＮＯ）、ＳＴ２０７の処理に進む。
【０１１２】
ＳＴ２０９では、テーブル生成部は、系列グループ番号ｕにＺＣ系列番号ｑ’＿ｐｒｅを割り当て、ＳＴ１１０の処理に進む。
【０１１３】
図１４に示す処理が１、２ＲＢのそれぞれに対して行われることにより、ＺＣ系列番号テーブル１０５（ＺＣ系列番号テーブル２０５）が生成される。
【０１１４】
図１５は、以上の処理によって生成されるＺＣ系列番号テーブル１０５（ＺＣ系列番号テーブル２０５）の一例を示す。図１５に示す送信帯域幅１ＲＢ（Ｎ＝１１）及び２ＲＢ（Ｎ＝２３）では、生成例１（図１３）と同様、系列グループ番号ｕ＝０〜２９において、ｑ／Ｎと、送信帯域幅３ＲＢに対応するｑｂ／Ｎｂとの差の絶対値が最小となる系列番号ｑが割り当てられている。
【０１１５】
また、図１５では、送信帯域幅１，２ＲＢのそれぞれにおいて、各ＺＣ系列番号の使用回数の差が１以内となる。換言すると、１，２ＲＢ（３ＲＢ未満）の送信帯域幅において、異なる系列番号のＺＣ系列間で、各系列番号が使用されるグループ数の差は１以内である。
【０１１６】
例えば、図１５に示す送信帯域幅１ＲＢでは、系列番号ｑ＝１〜１０が３つの系列グループでそれぞれ使用されている。つまり、図１５では、送信帯域幅が１ＲＢの場合、異なるＺＣ系列番号間の各系列グループでの使用回数の差は０である。
【０１１７】
また、図１５に示す送信帯域幅２ＲＢでは、系列番号ｑ＝１，４，７，９，１３，１６，１９が２つの系列グループでそれぞれ使用され、系列番号ｑ＝２，３，５，６，８，１０，１１，１２，１４，１５，１７，１８，２０〜２３が１つの系列グループでそれぞれ使用されている。つまり、図１５では、送信帯域幅が２ＲＢの場合、異なるＺＣ系列番号の各系列グループでの使用回数の差は１である。
【０１１８】
なお、図１４に示すＳＴ２０５，２０６の処理のように、同一系列番号の系列の使用回数は、（（系列グループ数）／ＺＣ系列長Ｎ）の値よりも大きく最も近い整数に丸めた値に制限される。図１５において、同一系列番号の系列の最大使用回数は、送信帯域幅が１ＲＢの場合には「３」であり、送信帯域幅が２ＲＢの場合には「２」である。また、図１４に示すＳＴ２０７〜２０９の処理のように、同一系列番号の系列の使用回数は、少なくとも、（（系列グループ数）／ＺＣ系列長Ｎ）の値よりも小さく最も近い整数に丸めた値となる。図１５において、同一系列番号の系列の最小使用回数は、送信帯域幅が１ＲＢの場合には「２」であり、送信帯域幅が２ＲＢの場合には「１」である。
【０１１９】
ここで、生成例１（図１３）と生成例２（図１５）とを比較する。図１３に示す送信帯域幅が１ＲＢでは、例えば、系列番号ｑ＝１が４つの系列グループでそれぞれ使用され、系列番号ｑ＝２が３つの系列グループでそれぞれ使用され、系列番号ｑ＝１が２つの系列グループでそれぞれ使用される。つまり、図１３では、送信帯域幅が１ＲＢの場合、各ＺＣ系列番号の使用回数の差は２となる。一方、図１５では、上述したように、送信帯域幅が１ＲＢの場合、各ＺＣ系列番号の使用回数の差は１となる。
【０１２０】
つまり、生成例２では、生成例１と比較して、各ＺＣ系列番号が、複数の系列グループ全体に均等に割り当てられる。すなわち、生成例２では、各系列グループで同一系列番号が繰り返し使用される回数を、生成例１よりも少なくすることができる。よって、生成例２では、生成例１と比較して、同一系列番号を有する系列グループが隣接するセルで使用される確率を低くすることができ、隣接セル間での干渉をより低減することが可能となる。また、生成例２では、生成例１と同様、送信帯域幅が１ＲＢ（又は２ＲＢ）のＤＭ−ＲＳと送信帯域幅を３ＲＢ以上のＤＭ−ＲＳとを直交化させることができる。
【０１２１】
＜生成例３＞
生成例３では、ＵＬ  ＣｏＭＰ端末（ＵＥ固有系列が割り当てられる端末）の１，２ＲＢ用のＺＣ系列番号の割当の際、１，２ＲＢ用のＺＣ系列の系列番号ｑと系列長Ｎとの比であるｑ／Ｎの値に対して基準となるｑｂ／Ｎｂの値に対応する送信帯域幅を、１ＲＢと２ＲＢとで異ならせる。
【０１２２】
具体的には、１，２ＲＢの各送信帯域幅に対して基準となるｑｂ／Ｎｂの値に対応する送信帯域幅として、各送信帯域幅（１ＲＢ及び２ＲＢ）に隣接する送信帯域幅（値が近い送信帯域幅）が用いられる。すなわち、１，２ＲＢ（３ＲＢ未満）の送信帯域幅に対する基準系列長Ｎｂ、及び、系列番号ｕの基準系列番号ｑｂは、当該送信帯域幅に隣接する送信帯域幅に応じた系列長、及び、隣接する送信帯域幅におけるグループ番号uの系列番号である。
【０１２３】
例えば、以下の説明では、送信帯域幅１ＲＢのＺＣ系列番号を決定する際、基準となるｑｂ／Ｎｂの値に対応する送信帯域幅として、１ＲＢに隣接する２ＲＢが用いられる。一方、送信帯域幅２ＲＢのＺＣ系列番号を決定する際、基準となるｑｂ／Ｎｂの値に対応する送信帯域幅として、２ＲＢに隣接する３ＲＢが用いられる。
【０１２４】
生成例３における送信帯域幅１，２ＲＢ（３ＲＢ未満）に対応するＺＣ系列番号テーブル（図９に示す１０５、図１１に示す２０５）の生成処理は、生成例１における処理（図１４）とほぼ同一である。ただし、１ＲＢ用のＺＣ系列番号を導出する場合、図１４に示すＳＴ１０３では、２ＲＢの系列長Ｎｂ及び系列番号ｑｂが設定される。一方、２ＲＢ用のＺＣ系列番号を導出する場合、図１４に示すＳＴ１０３では、３ＲＢの系列長Ｎｂ及び系列番号ｑｂが設定される。
【０１２５】
図１６は、生成例３におけるＺＣ系列番号テーブル１０５（ＺＣ系列番号テーブル２０５）の一例を示す。
【０１２６】
例えば、図１６に示す送信帯域幅１ＲＢ（Ｎ＝１１）では、送信帯域幅２ＲＢを基準とする。つまり、図１６に示す送信帯域幅１ＲＢでは、系列グループ番号ｕ＝０〜２９において、ｑｂは１〜２３のいずれかとなり、Ｎｂは２３となる。そして、図１６に示す送信帯域幅１ＲＢでは、系列グループ番号ｕ＝０〜２９において、ｑ／Ｎとｑｂ／Ｎｂとの差の絶対値が最小となる系列番号ｑが割り当てられている。
【０１２７】
また、図１６に示す送信帯域幅２ＲＢ（Ｎ＝２３）では、送信帯域幅３ＲＢを基準とする。つまり、図１６に示す送信帯域幅２ＲＢでは、系列グループ番号ｕ＝０〜２９において、ｑｂは１〜３０の値となり、Ｎｂは３１となる。そして、図１６に示す送信帯域幅２ＲＢでは、系列グループ番号ｕ＝０〜２９において、ｑ／Ｎとｑｂ／Ｎｂとの差の絶対値が最小となる系列番号ｑが割り当てられている。
【０１２８】
また、図１６に示すＺＣ系列番号テーブル１０５（ＺＣ系列番号テーブル２０５）における送信帯域幅１，２，３ＲＢの系列番号の関係を次式（６）に示す。
【数６】
0005934723.tif 000007
【０１２９】
式（６）において、ｑXRBは送信帯域幅Ｘ［ＲＢ］の系列番号を示し、NZC_XRBRSは送信帯域幅Ｘ［ＲＢ］のＺＣ系列長を示し、ｕは系列グループ番号を示し、ｖは系列グループホッピングフラグ（０又は１）を示す。
【０１３０】
このようにｑ／Ｎとｑｂ／Ｎｂとの差の絶対値の比較を隣接する送信帯域幅同士で行うことで、各系列グループにおいて、ｑ／Ｎが近くなる系列を精度良くグループ化することができる。これにより、例えば、セルエッジに位置する端末１００（ＵＬ  ＣｏＭＰ端末）において狭い送信帯域幅（例えば、１，２又は３ＲＢ）のＤＭ−ＲＳが使用されている帯域では、ＤＭ−ＲＳ（ＺＣ系列）の直交性をより向上させることができる。
【０１３１】
＜生成例４＞
生成例４では、ＵＬ  ＣｏＭＰ端末（ＵＥ固有系列が割り当てられる端末）の１，２ＲＢ用のＺＣ系列番号の割当の際、３ＲＢ以上の送信帯域幅（３ＲＢ〜１１０ＲＢ）のそれぞれにおけるＺＣ系列ｎ系列番号ｑrbと系列長Ｎrbとの比であるｑrb／Ｎrbの平均値を、１，２ＲＢ用のＺＣ系列の系列番号ｑと系列長Ｎとの比であるｑ／Ｎの値に対する基準とする。
【０１３２】
図１７は、送信帯域幅１，２ＲＢ（３ＲＢ未満）に対応するＺＣ系列番号テーブル１０５（ＺＣ系列番号テーブル２０５）の生成処理の一例を示すフロー図である。端末１００（基地局２００）は、例えば図１７に示す処理によって生成されたＺＣ系列番号テーブル１０５（ＺＣ系列番号テーブル２０５）を予め保持する。
【０１３３】
なお、図１７において、生成例１（図１２）の処理と同一の処理には同一符号を付し、その説明を省略する。具体的には、図１７では、図１２に示すＳＴ１０３の処理が行われず、ＳＴ１０５及びＳＴ１０６の処理の代わりに、ＳＴ３０１及びＳＴ３０２の処理がそれぞれ行われる。
【０１３４】
図１７において、ＳＴ３０１では、テーブル生成部は、１０８種類の送信帯域幅（３ＲＢ〜１１０ＲＢ）のｑrb／Ｎrbの平均値を算出し、ｑ／Ｎと上記平均値との差の絶対値を測定し、変数ｍｉｎが測定された絶対値よりも大きいか否かを判定する。変数ｍｉｎが上記絶対値よりも大きい場合（ＳＴ３０１：ＹＥＳ）、ＳＴ３０２の処理に進み、変数ｍｉｎが上記絶対値以下の場合（ＳＴ３０１：ＮＯ）、ＳＴ１０７の処理に進む。
【０１３５】
ＳＴ３０２では、テーブル生成部は、ｑ’をｑに設定し、ｍｉｎを現在のｑの値におけるｑ／Ｎと上記平均値との差の絶対値に設定する。
【０１３６】
図１８は、図１７に示す処理によって生成されるＺＣ系列番号テーブル１０５（ＺＣ系列番号テーブル２０５）の一例を示す。すなわち、図１８では、送信帯域幅１，２ＲＢに対して１０８種類の送信帯域幅（３ＲＢ〜１１０ＲＢ）のそれぞれにおけるｑrb／Ｎrbの平均値が基準となる。つまり、図１８に示す送信帯域幅１ＲＢ（Ｎ＝１１）及び２ＲＢ（Ｎ＝２３）では、系列グループ番号ｕ＝０〜２９において、基準である上記ｑｂ／Ｎｂの平均値と、ｑ／Ｎとの差の絶対値が最小となる系列番号ｑが割り当てられている。
【０１３７】
また、図１８に示すＺＣ系列番号テーブル１０５（ＺＣ系列番号テーブル２０５）における送信帯域幅１，２，３ＲＢの系列番号の関係を次式（７）に示す。
【数７】
0005934723.tif 000008
【０１３８】
式（７）において、ｑXRBは送信帯域幅Ｘ［ＲＢ］の系列番号を示し、NZC_XRBRSは送信帯域幅Ｘ［ＲＢ］のＺＣ系列長を示し、ｕは系列グループ番号を示し、ｖは系列ホッピングフラグ（０又は１）を示し、ａｖｅは１０８種類の送信帯域幅（３ＲＢ〜１１０ＲＢ）のそれぞれにおけるｑrb／Ｎrbの平均値を示す。
【０１３９】
こうすることで、送信帯域幅１，２ＲＢでは、３ＲＢ以上の送信帯域幅の全てを基準として割り当てられたＺＣ系列を用いることができる。よって、生成例４によれば、生成例１と同様、ＵＥ固有系列が同一の端末１００同士では、ＤＭ−ＲＳの送信帯域幅に依らず、ＤＭ−ＲＳ（ＺＣ系列）を直交化できるので、チャネル推定制度を向上させ、ＭＵ−ＭＩＭＯ通信における多重数を増やすことができる。
【０１４０】
なお、３ＲＢ以上の送信帯域幅では、各系列グループに２つのＺＣ系列（２つのスロットでそれぞれ使用されるＺＣ系列）が割り当てられる場合もある（例えば６ＲＢ以上）。そこで、生成例４において、３ＲＢ以上の送信帯域幅（３ＲＢ〜１１０ＲＢ）のそれぞれにおけるｑrb／Ｎrbの平均値を算出する際には、各系列グループにおいて、２つのＺＣ系列（２つのスロット）のうちいずれか一方を用いてもよい。具体的には、３ＲＢ以上の送信帯域幅（３ＲＢ〜１１０ＲＢ）のそれぞれにおけるｑrb／Ｎrbの平均値を算出する際には、式（７）に示すｖ＝０又は１とすればよい。
【０１４１】
また、上り回線（ＵＬ）では、送信帯域幅（ＲＢ数）の素因数に２，３，５以外が含まれる送信帯域幅は使用されない。よって、３ＲＢ以上の送信帯域幅（３ＲＢ〜１１０ＲＢ）のそれぞれにおけるｑrb／Ｎrbの平均値を算出する際には、３ＲＢ以上の送信帯域幅のうち、上り回線で使用されない送信帯域幅におけるｑrb／Ｎrbの値を除外してもよい。これにより、上り回線でのＤＭ−ＲＳに用いるＺＣ系列の系列番号をより精度良く設定することが可能となる。
【０１４２】
以上、端末１００（図９）及び基地局２００（図１１）で用いられるＺＣ系列番号テーブル１０５（ＺＣ系列番号テーブル２０５）の生成例１〜４について説明した。
【０１４３】
このようにして、端末１００において、系列生成部１０３が、複数の基地局２００（セル）によるＣｏＭＰが適用される場合、所定数（３ＲＢ）未満の送信帯域幅のＤＭ−ＲＳを、所定数以上の送信帯域幅のＤＭ−ＲＳに用いられるＺＣ系列を用いて生成し、ＣｏＭＰが適用されない場合、所定数未満の送信帯域幅のＤＭ−ＲＳ系列を、ＺＣ系列と異なるＣＧ系列を用いて生成する。生成されたＤＭ−ＲＳは、送信部１１２を介して送信される。
【０１４４】
すなわち、端末１００は、１，２ＲＢ用のＤＭ−ＲＳを送信する際、ＣｏＭＰが適用される場合にはＺＣ系列を用いて、ＣｏＭＰが適用されない場合にはＣＧ系列を用いることにより、ＤＭ−ＲＳに用いる符号系列を切り替える。この際、１，２ＲＢ用のＤＭ−ＲＳに使用されるＺＣ系列については、３ＲＢ以上の送信帯域幅で使用されているＺＣ系列と同様にして、ｑ／Ｎの差が小さいＺＣ系列番号が各系列グループに割り当てられる。こうすることで、例えば、送信帯域に応じた巡回シフトをＺＣ系列に施すことにより（例えば、非特許文献２参照）、送信帯域幅が１，２ＲＢのＤＭ−ＲＳと送信帯域幅が３ＲＢ以上のＤＭ−ＲＳとを直交化できる。よって、本実施の形態によれば、チャネル推定精度を向上させ、ＭＵ−ＭＩＭＯ通信における多重数を増やすことができる。
【０１４５】
（実施の形態２）
実施の形態１では、送信帯域幅１，２のＺＣ系列を設定する際、３ＲＢ以上のＤＭ−ＲＳ用のＺＣ系列と同様、ＺＣ系列の系列長は、送信帯域幅（ＲＢ数）に相当するサブキャリア数以内の最大の素数とした。よって、ＤＭ−ＲＳのサイズより小さいＺＣ系列の先頭部分を末尾にコピー（Extension）した系列が使用される（例えば、図１９Ａ参照）。
【０１４６】
これに対して、本実施の形態では、送信帯域幅１，２のＺＣ系列を設定する際、ＤＭ−ＲＳのサイズより大きいＺＣ系列の末尾部分を削除（Truncation）した系列を使用する場合について説明する（例えば、図１９Ｂ参照）。つまり、本実施の形態では、ＺＣ系列の系列長は、送信帯域幅（ＲＢ数）に相当するサブキャリア数より多い最小の素数とする。
【０１４７】
なお、本実施の形態に係る基地局及び端末は、実施の形態１に係る基地局１００及び端末２００と基本構成が共通するので、図９，１１を援用して説明する。
【０１４８】
例えば、実施の形態１では、図１９Ａに示すように、送信帯域幅１ＲＢ（１２サブキャリア）において、系列長Ｎ＝１１のＺＣ系列が用いられた。これに対して、本実施の形態では、図１９Ｂに示すように、送信帯域幅１ＲＢ（１２サブキャリア）において、系列長１３のＺＣ系列が用いられる。系列生成部１０３（系列生成部２０３）は、図１９Ｂでは、得られた系列長Ｎ＝１３のＺＣ系列の末尾（１サブキャリア分）を削除して、ＤＭ−ＲＳ系列を得る。
【０１４９】
同様に、実施の形態１では、送信帯域幅２ＲＢ（２４サブキャリア）において、系列長Ｎ＝２３のＺＣ系列が用いられた。これに対して、本実施の形態では、送信帯域幅２ＲＢ（２４サブキャリア）において、系列長２９のＺＣ系列が用いられる（図示せず）。系列生成部１０３は、得られた系列長Ｎ＝２９のＺＣ系列の末尾（５サブキャリア分）を削除して、ＤＭ−ＲＳ系列を得る。
【０１５０】
図２０は、本実施の形態において、実施の形態１の生成例１（図１３）と同様の処理（例えば図１４）を適用した場合に得られるＺＣ系列番号テーブル１０５（ＺＣ系列番号テーブル２０５）の一例を示す。
【０１５１】
同様に、図２１は、本実施の形態において、実施の形態１の生成例３（図１６）と同様の処理を適用した場合に得られるＺＣ系列番号テーブル１０５（ＺＣ系列番号テーブル２０５）の一例を示す。
【０１５２】
同様に、図２２は、本実施の形態において、実施の形態１の生成例４（図１８）と同様の処理（例えば図１７）を適用した場合に得られるＺＣ系列番号テーブル１０５（ＺＣ系列番号テーブル２０５）の一例を示す。
【０１５３】
こうすることで、本実施の形態では、実施の形態１と比較して、送信帯域幅１，２ＲＢにおけるＺＣ系列をより多く確保することができる。具体的には、送信帯域幅１ＲＢにおいて、実施の形態１（系列長Ｎ＝１１）では１０個のＺＣ系列が得られるのに対して、本実施の形態（系列長Ｎ＝１３）では１２個のＺＣ系列が得られる。また、送信帯域幅２ＲＢにおいて、実施の形態１（系列長Ｎ＝２３）では２２個のＺＣ系列が得られるのに対して、本実施の形態（系列長Ｎ＝２９）では２８個のＺＣ系列が得られる。
【０１５４】
よって、本実施の形態によれば、送信帯域幅１，２ＲＢにおいてより多くのＺＣ系列を使用することが可能となり、リユースファクタの低下を抑えることができ、セル間の干渉を抑えることができる。
【０１５５】
また、本実施の形態によれば、実施の形態１と同様、送信帯域に応じた巡回シフトをＺＣ系列に施すことにより（例えば、非特許文献２参照）、送信帯域幅が１，２ＲＢのＤＭ−ＲＳと送信帯域幅が３ＲＢ以上のＤＭ−ＲＳとをＣＳによって直交化できるので、チャネル推定精度を向上させ、ＭＵ−ＭＩＭＯ通信における多重数を増やすことができる。
【０１５６】
なお、ＺＣ系列を削除（truncate）することによりＤＭ−ＲＳを生成する場合、ＣＭ（Cubic Metric。又は、ＰＡＰＲ（Peak to Average Power Ratio））が高くなるおそれがある。しかし、ＨｅｔＮｅｔ環境においてＣｏＭＰが適用される場合には、端末の送信電力が低くても十分な性能が得られるので、Power limitationになることは稀である。よって、本実施の形態では、ＺＣ系列を削除（truncate）することによりＣＭが高くなることは問題にならない。
【０１５７】
＜実施の形態３＞
本実施の形態では、ＣｏＭＰが適用される端末に対する系列グループホッピングを、ＣｏＭＰが適用されない端末に対する系列グループホッピングと異ならせる。
【０１５８】
図２３は、本実施の形態に係る端末３００の構成を示すブロック図である。なお、図２３において、実施の形態１（図９）と同一の構成部には同一の符号を付し、その説明を省略する。また、図２５は、端末１００におけるＤＭ−ＲＳ系列の生成処理を示すフロー図である。なお、図２５において、実施の形態１（図１０）と同一の処理には同一の符号を付し、その説明を省略する。
【０１５９】
端末３００において、系列グループホッピング制御部３０１には、自機のＣｏＭＰ適用の有無を示す情報がＣｏＭＰモード設定部１０２から入力される。系列グループホッピング制御部３０１は、ＣｏＭＰ適用が無い場合（ＵＥ固有系列適用無し）、例えば従来から用いられた既存の系列グループホッピングパターンを系列情報算出部１０６に出力する。一方、系列グループホッピング制御部３０１は、ＣｏＭＰ適用が有る場合（ＵＥ固有系列適用有り）、ＣｏＭＰ適用が無い場合に用いる系列グループホッピングパターンと異なる系列グループホッピングパターンを系列情報算出部１０６に出力する。
【０１６０】
すなわち、系列グループホッピング制御部３０１は、ＣｏＭＰ適用の有無に応じて、系列グループホッピングパターンを切り替える（図２５に示すＳＴ１１）。なお、ＣｏＭＰ適用時に用いられる系列グループホッピングパターンは、端末３００に対して個別に通知される。また、上記既存の系列グループホッピングパターンは、例えば、送信帯域幅が３ＲＢ以上の場合に用いられる系列グループホッピングパターンである。
【０１６１】
系列情報算出部１０６は、送信帯域幅、ＣｏＭＰモードの適用の有無に加え、系列グループホッピング制御部３０１から入力される系列グループホッピングパターンに基づいて、系列グループ番号を導出する。
【０１６２】
図２４は、本実施の形態に係る基地局４００の構成を示すブロック図である。なお、図２４において、実施の形態１（図１１）と同一の構成部には同一の符号を付し、その説明を省略する。
【０１６３】
基地局４００において、系列グループホッピング制御部４０１には、端末３００のＣｏＭＰ適用の有無を示す情報がＣｏＭＰモード設定部２０２から入力される。系列グループホッピング制御部４０１は、端末３００に対してＣｏＭＰ適用が無い場合（ＵＥ固有系列適用無し）、例えば上記既存の系列グループホッピングパターンを系列情報算出部２０６に出力する。一方、系列グループホッピング制御部４０１は、端末３００に対してＣｏＭＰ適用が有る場合（ＵＥ固有系列適用有り）、ＣｏＭＰ適用が無い場合に用いる系列グループホッピングパターンと異なる系列グループホッピングパターンを系列情報算出部２０６に出力する。すなわち、系列グループホッピング制御部４０１は、系列グループホッピング制御部３０１と同様、ＣｏＭＰ適用の有無に応じて、系列グループホッピングパターンを切り替える。
【０１６４】
系列情報算出部２０６は、送信帯域幅、ＣｏＭＰモードの適用の有無に加え、系列グループホッピング制御部４０１から入力される系列グループホッピングパターンに基づいて、系列グループ番号を導出する。
【０１６５】
実施の形態１で述べたように、送信帯域幅１，２ＲＢにおいてＺＣ系列が使用される場合、複数の系列グループで同一の系列番号が使用される（例えば、図１３，図１５，図１６，図１８参照）。このため、送信帯域幅１，２ＲＢのＺＣ系列において、ＣｏＭＰが適用されない場合に用いられる系列グループホッピングパターン（既存の系列グループホッピングパターン）を用いると、系列グループのホッピング元とホッピング先とに同一系列番号が割り当てられている可能性がある。この場合、系列グループのホッピング効果が得られない。このように、送信帯域幅１，２ＲＢのＺＣ系列において、系列グループのホッピング効果が低下してしまうおそれがある。
【０１６６】
これに対して、端末３００（基地局４００）は、ＣｏＭＰモードが適用される場合、ＲＢ数（送信帯域幅）に依らず、ＣｏＭＰモードが適用されない場合に用いられる系列グループホッピングパターンと異なる系列グループホッピングパターンを用いる。これにより、系列グループのホッピング効果の低下を防ぐことができる。
【０１６７】
以上、本発明の各実施の形態について説明した。
【０１６８】
なお、上記実施の形態において、ＵＥ固有系列の適用の有無の設定とは別に、送信帯域幅１，２ＲＢのＺＣ系列使用の有無をＲＲＣ（Radio Resource Control）で設定してもよい。
【０１６９】
また、上記実施の形態において、端末（ＵＥ）固有のＣＳ（巡回シフト）ホッピングを適用する場合に送信帯域幅１，２ＲＢ用のＺＣ系列に対してＣＳホッピングを適用してもよい。
【０１７０】
また、上りデータチャネル（ＰＵＳＣＨ：Physical Uplink Shared Channel）ではＣｏＭＰモードが適用され得るのに対して、上り制御チャネル（ＰＵＣＣＨ：Physical Uplink Control Channel）ではＣｏＭＰモードが適用されない可能性がある。そこで、上記実施の形態において、ＣｏＭＰモードが適用されないＰＵＣＣＨで送信されるＤＭ−ＲＳ（送信帯域幅１，２ＲＢ）をＣＧ系列とし、ＣｏＭＰモードが適用されるＰＵＳＣＨで送信されるＤＭ−ＲＳ（送信帯域幅１，２ＲＢ）をＺＣ系列としてもよい。
【０１７１】
また、上記実施の形態ではアンテナとして説明したが、本発明はアンテナポート（antenna port）でも同様に適用できる。
【０１７２】
アンテナポートとは、１本又は複数の物理アンテナから構成される、論理的なアンテナを指す。すなわち、アンテナポートは必ずしも１本の物理アンテナを指すとは限らず、複数のアンテナから構成されるアレイアンテナ等を指すことがある。
【０１７３】
例えばＬＴＥにおいては、アンテナポートが何本の物理アンテナから構成されるかは規定されず、基地局が異なる参照信号（Reference signal）を送信できる最小単位として規定されている。
【０１７４】
また、アンテナポートはプリコーディングベクトル（Precoding vector）の重み付けを乗算する最小単位として規定されることもある。
【０１７５】
また、上記各実施の形態では、本発明をハードウェアで構成する場合を例にとって説明したが、本発明はハードウェアとの連携においてソフトウェアで実現することも可能である。
【０１７６】
また、上記各実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１７７】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【０１７８】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１７９】
本開示の送信装置は、複数の受信装置による協調受信が適用される場合、所定数未満の送信帯域幅の参照信号を、前記所定数以上の送信帯域幅の参照信号に用いられる第１の系列を用いて生成し、前記協調受信が適用されない場合、前記所定数未満の送信帯域幅の参照信号を、前記第１の系列と異なる第２の系列を用いて生成する生成手段と、前記参照信号を送信する送信手段と、を具備する構成を採る。
【０１８０】
本開示の送信装置では、基準系列長をＮｂとし、グループ番号ｕの基準系列番号をｑｂとし、複数の送信帯域幅のそれぞれに応じた系列長Ｎに対して、ｑｂ／Ｎｂとｑ／Ｎとの差の絶対値が最も小さい系列番号ｑの前記第１の系列が、グループ番号ｕのグループにグループ化され、前記生成手段は、前記協調受信が適用される場合に、グループ化された前記第１の系列のいずれか一つを用いて前記参照信号を生成する。
【０１８１】
本開示の送信装置では、前記所定数未満の送信帯域幅に対する前記基準系列長Ｎｂ及び前記基準系列番号ｑｂは、前記所定数以上の送信帯域幅に対する基準系列長及び基準系列番号と同一である。
【０１８２】
本開示の送信装置では、前記所定数未満の送信帯域幅において、異なる系列番号の前記第１の系列間で、各系列番号が使用されるグループ数の差は１以内である。
【０１８３】
本開示の送信装置では、前記所定数未満の送信帯域幅に対する前記基準系列長Ｎｂ、及び、前記基準系列番号ｑｂは、当該送信帯域幅に隣接する送信帯域幅に応じた系列長、及び、前記隣接する送信帯域幅における前記グループ番号ｕの系列番号である。
【０１８４】
本開示の送信装置では、前記所定数以上の送信帯域幅のそれぞれに応じた、系列長をＮrbとし、グループ番号ｕの系列番号をｑrbとし、前記所定数未満の送信帯域幅にそれぞれ応じた系列長Ｎに対して、前記所定数以上の各送信帯域幅におけるｑrb／Ｎrbの平均値と、ｑ／Ｎとの差の絶対値が最も小さい系列番号ｑの前記第１の系列が、グループ番号uのグループにグループ化され、前記生成手段は、前記協調受信が適用される場合、グループ化された前記第１の系列のいずれか一つを用いて前記参照信号を生成する。
【０１８５】
本開示の送信装置では、前記生成手段は、前記協調受信が適用され、かつ送信帯域幅が前記所定数未満の場合、当該送信帯域幅に応じた系列長の前記第１の系列の一部を削除することにより、当該送信帯域幅の前記参照信号を生成する。
【０１８６】
本開示の送信装置では、前記生成手段は、前記協調受信が適用される場合、前記協調受信が適用されない場合に用いられる系列グループホッピングパターンと異なる系列グループホッピングパターンを用いて、前記参照信号を生成する。
【０１８７】
本開示の送信装置では、前記第１の系列はZadoff-Chu系列であり、前記第２の系列はComputer generated系列である。
【０１８８】
本開示の送信装置では、前記参照信号は、データ復調用参照信号（Demodulated Reference Signal）である。
【０１８９】
本開示の送信方法は、複数の受信装置による協調受信が適用される場合、所定数未満の送信帯域幅の参照信号を、前記所定数以上の送信帯域幅の参照信号に用いられる第１の系列を用いて生成し、前記協調受信が適用されない場合、前記所定数未満の送信帯域幅の参照信号を、前記第１の系列と異なる第２の系列を用いて生成し、前記参照信号を送信する。
【０１９０】
２０１２年１月２７日出願の特願２０１２−０１５６１７の日本出願に含まれる明細書、図面および要約書の開示内容は、すべて本願に援用される。
【産業上の利用可能性】
【０１９１】
本発明は、移動体通信システム等に適用することができる。
【符号の説明】
【０１９２】
１００，３００  端末
２００，４００  基地局
１０１，２０１  送信帯域幅設定部
１０２，２０２  ＣｏＭＰモード設定部
１０３，２０３  系列生成部
１０４，２０４  系列切替部
１０５，２０５  ＺＣ系列番号テーブル
１０６，２０６  系列情報算出部
１０７，２０７  ＺＣ系列生成部
１０８，２０８  ＣＧ系列生成部
１０９  マッピング部
１１０，２１６，２２２  ＩＦＦＴ部
１１１  ＣＰ付加部
１１２  送信部
１１３，２０９  アンテナ
２１０  受信部
２１１  ＣＰ除去部
２１２  分離部
２１３，２１９  ＦＦＴ部
２１４，２２０  デマッピング部
２１５  除算部
２１７  マスク処理部
２１８  ＤＦＴ部
２２１  周波数領域等化部
２２３  復調部
２２４  復号部
３０１，４０１  系列グループホッピング制御部
【図１】
0005934723.tif 000009
【図２】
0005934723.tif 000010
【図３】
0005934723.tif 000011
【図４】
0005934723.tif 000012
【図５】
0005934723.tif 000013
【図６】
0005934723.tif 000014
【図７】
0005934723.tif 000015
【図８】
0005934723.tif 000016
【図９】
0005934723.tif 000017
【図１０】
0005934723.tif 000018
【図１１】
0005934723.tif 000019
【図１２】
0005934723.tif 000020
【図１３】
0005934723.tif 000021
【図１４】
0005934723.tif 000022
【図１５】
0005934723.tif 000023
【図１６】
0005934723.tif 000024
【図１７】
0005934723.tif 000025
【図１８】
0005934723.tif 000026
【図１９】
0005934723.tif 000027
【図２０】
0005934723.tif 000028
【図２１】
0005934723.tif 000029
【図２２】
0005934723.tif 000030
【図２３】
0005934723.tif 000031
【図２４】
0005934723.tif 000032
【図２５】
0005934723.tif 000033